(57)【要約】【課題】最近鳥害が深刻となり、ごみの収集作業にとって困った状況となっている。特に、最も鳥害が発生した夜明け前には、従来の太陽光の反射を利用する反射式の鳥除け具としては、反射機能を発揮しない問題点があった。又その他音響式のものも公害が発生し使用を制限されている。【解決手段】蓄光部及び光反射部からなる反射部と該反射部を支持する保持部材からなる鳥除け具であって、反射部は蓄光部及び光反射部は各別に構成され、透明な保持部材の二つの板状材によって該反射部を挟持して密封しておくものである。【選択図】  図１
2005137331.tif 000002
【特許請求の範囲】
【請求項１】
蓄光部及び光反射部からなる反射部と該反射部を支持する保持部材からなる鳥除け具
【請求項２】
反射部は蓄光部及び光反射部は各別に構成され、透明な保持部材の二つの板状材によって該反射部を挟持してなることを特徴とする鳥除け具。
【請求項３】
前記光反射部は、ホログラムから構成されていることを特徴とする請求項1又は２記載の鳥除け具
【請求項４】
前記保持部材の二つの板状材はその環状の周縁において固定部を有していることを特徴とする請求項1記載の鳥除け具
【請求項５】
前記固定部は、固定部の内側には環状の段部が設けられておりその内側に反射部を載置し板状材にて挟持してなることを特徴とする請求項３記載の鳥除け具
【発明の詳細な説明】
【技術分野】
【０００１】
本発明は、建物や果実の樹木などのカラスや鳩などの鳥害から守る鳥除け具に関する。
さらに、特に夜明け前に鳥害を防止する鳥除け具に関する。
【背景技術】
【０００２】
従来、カラス等の鳥害は、その増加と共に無視できないようになり、様々な試みがなされている。特に町内会でのごみの収集では、その集積箇所にカラスが群がり、ごみを散らかして散乱させ美観はもとより、衛生上も問題となっているので、網を集積したごみの上に掛けて防衛したりしている。
【０００３】
その他、マンション等の建築物では、カラスの他鳩も洗濯物等に糞害を与えたりしており、そのために目玉状の図柄のものを掲げて鳥を驚かして追っ払う手段が採用されたり、又留まることができないように手摺が回転してしまうものもある。又田畑では、数秒間隔で爆発音がする装置があり、これで鳥害を防止しようとしている。
【特許文献１】特開２００３−２４３２２号公報
【特許文献２】特開平１１−１１３４７６号公報
【特許文献３】特開平８−１５４５６３号公報
【特許文献４】特開２００１−２１１８０９号公報
【発明の開示】
【発明が解決しようとする課題】
【０００４】
上記の従来の構成では、鳥が鳥除け具に次第に慣れるに従い驚かなくなるに従い、その効力を失ってくる欠点がある。特に、音響によるものは、近隣に大きな音を出すので公害を引き起こす問題点がある。又光の反射を利用するものも、余りに単純であるので次第に鳥に感づかれてしまい、効果を失うきらいがある。更に、鳥害は夜明けが最も多いのであるが、太陽が十分に昇りきいていない段階では、従来のものは役に立たないきらいがあった。
【０００５】
又、手すりに回転式のものを設けても、設置に費用と手間がかかり、しかも設置後に、手摺に人が触れられない問題点が生じ、結局利用が容易ではない。
【０００６】
本発明は、上記の問題点を改善して、簡単に建物や必要な箇所に設置でき、光の反射も大きく、特に夜明けに威力を発揮し、更に簡単に取り付けられコストの大幅な低減を図れる鳥よけ具を得ることを目的とする。
【０００７】
更に、鳥は朝の明け方の空腹時に活動が活発化するので、その時刻にも光による反射の効果を持続ざせて鳥を寄せ付けないものを得ることに有る。
【課題を解決するための手段】
【０００８】
上記の課題を解決するために本発明では、蓄光部及び光反射部からなる反射部と該反射部を支持する保持部材からなる鳥除け具を提供する。
【０００９】
反射部は蓄光部及び光反射部は各別に構成され、透明な保持部材の二つの板状材によって該反射部を挟持してなる鳥除け具を提供する。
【００１０】
前記保持部材の二つの板状材はその環状の周縁において固定部を有している鳥除け具を提供する。
【００１１】
結合部は、結合部の内側には環状の段部が設けられておりその内側に反射部を載置し板状材にて挟持してなる鳥除け具を提供する。
【発明の効果】
【００１２】
本発明の鳥除け具は、カラスやはと等の鳥害を簡単な構成及び低コストにより防ぐことができ、特に鳥害の最も多い夜明け時刻に威力を発揮しえる利点がある。
【発明を実施するための最良の形態】
【００１３】
本発明の実施の形態を実施例に基づき、図面を参照して説明する。図１は本発明の実施例の一つである。
【００１４】
図１は、本発明の反射部３を設けた鳥除け具１を示すものであって、透明部材２内に反射部３が設けられている。反射部３は、真ん中に光反射部３１と蓄光部３０が設けられている。光反射部３１は、ホログラムから構成されており、日光が当たってきらきら反射するので鳥を驚かす。蓄光部３０は、日光によって蓄光されると8時間以上光るので、夜間には、その所在を明確にして、人による衝突等を防ぐと共に、日中でも光反射に役立つ。
更に、明け方、最も鳥害が発生する時刻に、未だ太陽光が弱いにも拘わらず、蓄光部３０が発光するので、鳥を追い払うことが出来ることを見出したものである。最近の蓄光剤は8時間以上発光できる能力を有するので有効である。
透明部材からなる反射部３を支持する保持部材２は、二つに分かれており、板状の材２０、２１からなっており、該頂部には吊り下げ用の穴２００が設けられている。
【００１５】
反射部３は、この実施例では、蓄光部３０は、紙、例えば合成紙上に蓄光材を塗布したものが使われており、該蓄光部３０とホログラムで形成される光反射部３１とを、透明部材２の板状材２０，２１で挟んだものである。蓄光部３０及び光反射部３１は、この場合各々形成される。しかし、蓄光部３０の紙上に光反射部３１を貼り付けてもよい。反射部３は、透明の板状材２０，２１に両面に設けられるので、穴２００によって吊り下げられると回転して、鳥に対して反射することで効果をより発揮できる。更に、ホログラムは乱反射するので３６０度にわたり効果がある。又従来のものに比較して、夜明けの光に反応するので
【００１６】
蓄光部３０は、図２の（１）に示すように、ドーナツ状に構成されているので、中心へ光反射部３１が置かれるので、光反射部３１は、円形に構成されて、前記ドーナツ状の蓄光部３０の中心へ挿入される。この場合に、板状材２１には、一体にリング状部２２０が形成されているので、光反射部３１を蓄光部３０の中心へ収めるときは、板状部３０、３１が抑えると蓄光部３０及び光反射部３１が、がたつくことを防ぐ。
【００１７】
板状材２０，２１は、図２の（２）に示すように、周縁において固定のために固定部があり、例えば、凸部２１０が板状材２１の周縁部へ設置されており、対応した箇所に板状部２０の凹部２０１が設けられており、この凹凸部により両者板状材２０、２１を結合することになる。この凹凸部は、複数設けることが出来る。
固定のためには、その他接着剤等の適宜の手段が当業者によって採用できる。
【００１８】
詳細には、凹凸の関係は、凸部２１０に対応して凹部２０１が設けられるほか、半径方向へ環状の凸部２０２へ経て、反射部３が収められる嵌入部２０３（この場合は、円筒形状）が設けられ、それに対応して、円筒状部２１２が一方の板状部へ設けられる。この場合に、これら凹凸部を設ける関係は相対的であるので、いずれの側であってもよい。
【００１９】
又、反射部３は、上記実施例では、中心部が光反射部３１で外側が蓄光部３０であるが、逆に光反射部３１と蓄光部３０とを構成してもよい。その場合には、
目玉のようになるのでより鳥を驚かすことができる。
【００２０】
このように、反射部３は環状の嵌入部２０３内へ、環状の段部である凸部２０２を介して載置され板状材２０，２１によって挟持され収納されるので、外部より密封される。このように、板状材２０，２１は、したがって、露天で使用しても、蓄光部３が風雨に曝されることはないので、屋外での使用に好適である
【００２１】
なお、反射部３を保持部材２に取り付けるに当たり、前記挟む方式から、例えば、透明部材内の溝やポケット内へ挿入方式であってもよい。
例えば、透明部材３の形状は円形であるが、その他の、例えば、角型や矩形であってもかまわないし、角型の場合には、一方側を開放した袋状のものとし、一体とした蓄光部３０と光反射部３を前記開放から挿入し、その挿入側を適宜に密封することも可能である。
【００２２】
以上により、本発明の鳥除け具は、上部の穴２００によって、ベランダや果実の木々間にロープや紐によって張られて使用することができる。
本発明は、上記の実施例に限定されることなく当業者によって種々の変形例が可能である。
【図面の簡単な説明】
【００２３】
【図１】本発明の第一の実施例である鳥除け具の正面図及び側面図を示す。
【図２】本発明の第一の実施例である鳥除け具の図１におけるA部及びB部の拡大図を示す。
【符号の説明】
【００２４】
１      鳥除け具
２      保持部材
２０    板状材
２１    板状材
３      反射部
３０    蓄光部
３１    光反射部
【図１】
2005137331.tif 000003
【図２】
2005137331.tif 000004